(57)【要約】【課題】容易に設置でき、しかも高い引き抜き強度が得られる高耐力アンカーを提供する。【解決手段】  縦アンカー１０と、斜行アンカー２０と、縦アンカー１０を支点として斜行アンカー２０を斜めに支持するガイド３０と、を有する高耐力アンカー１である。ガイド３０は、縦アンカー１０に連結される上下一対のプレート３１，３２で構成されると共に、各プレート３１，３２には、斜行アンカー２０を支持するためのガイド孔３１ａ，３２ａが形成され、さらに各ガイド孔３１ａ，３２ａは、斜行アンカー２０の打ち込み角度に準じて、その中心位置をずらして配置されている。【選択図】図１
2014190149.tif 000002
【特許請求の範囲】
【請求項１】
地盤に対して略垂直に打ち込まれる第１アンカーと、傾斜した角度で打ち込まれる第２アンカーと、前記第１アンカーと第２のアンカーとを互いに連結し、かつ、前記第２アンカーを打ち込む際に、第２アンカーが所定の傾斜角度で打ち込まれるように案内するガイドと、を有する高耐力アンカーであって、  前記ガイドは、前記第２アンカーの頭部近傍の打込み方向における複数箇所で又はその打込み方向における所定の長さにわたって、前記第２アンカーを案内することを特徴とする高耐力アンカー。
【請求項２】
前記ガイドは、前記第１アンカーの頭部近傍に第１アンカーと一体に設けられていることを特徴とする請求項１に記載の高耐力アンカー。
【請求項３】
前記ガイドは、上下に間隔を空けて配置される一対のプレートで構成されると共に、各プレートには、前記第２アンカーを支持するためのガイド孔がそれぞれ形成され、さらに各ガイド孔は、前記第２アンカーの打ち込み角度に準じて、その中心位置を互いにずらして配置されていることを特徴とする請求項１に記載の高耐力アンカー。
【請求項４】
前記ガイドの上下一対のプレートは、上側のプレートが第１アンカーに設けられ、下側のプレートが第１アンカーに対して分離可能に設けられていることを特徴とする請求項３に記載の高耐力アンカー。
【請求項５】
前記上下一対のプレートのうち、その下側のプレートは面材固定用の押え板を兼ねていることを特徴とする請求項３から４の何れかに記載の高耐力アンカー。
【請求項６】
前記面材がネットであることを特徴とする請求項５に記載の高耐力アンカー。
【発明の詳細な説明】
【技術分野】
【０００１】
本発明は、高耐力を有するアンカーに関し、好適には、土砂や砂礫等の軟弱な地盤に適した高耐力アンカーに関する。
【背景技術】
【０００２】
この種の従来技術として、例えば、図９に示すピン式アンカー１００、及び図１０に示すねじ込み式アンカー２００が知られている。
ピン式アンカー１００は、十字形の断面を有し、地盤に対して垂直に打ち込まれる。また、その引き抜き強度は、アンカーと土との間に働く摩擦力のみに依存するため、ピン式アンカーは、引き抜き力が余り大きく作用しない場所に用いられている。
【０００３】
ねじ込み式アンカー２００は、表面に螺旋状の突条２０１を有する。また、打撃と回転を同時に加えながら打ち込むと、その螺旋状の突条２０１が地盤に溝を切りながら食い込む。したがって、ピン式アンカーに較べて高い耐力が得られる。
しかしながら、ねじ込み式アンカーを打ち込む際、打撃力が大きすぎたり、回転量が少ないと、そのアンマッチによって土中の溝が崩れ、適正な引き抜き強度が得られない。すなわち、ねじ込み式アンカーを設置するときには、土質を見極めながら慎重に作業を行う必要がある。
【０００４】
このため近年では、高い引き抜き強度を有すると共に、その設置も容易な斜行式の高耐力アンカーが提案されている。
この種のアンカーとして、例えば、下記特許文献１のアンカーが知られている。
このアンカー３００は、図１１に示すように斜め方向に複数の貫通孔を有するアンカーヘッド３０１と、アンカーヘッド３０１を斜めに貫通して土中に達するアンカー材３０２，３０２と、アンカー材３０２，３０２をアンカーヘッド３０１と共に垂直上方へ引き付けるためのネジ３０３及び支圧板３０４とを備えている。すなわち、アンカー材を打設した後、このアンカー材をネジ及び支圧板で垂直方向に引き付ける。このためアンカー材に強い摩擦力が生じ、また、アンカー材の剛性（剪断強度）も引き抜き耐力として利用できる。
【先行技術文献】
【特許文献】
【０００５】
【特許文献１】特開２０１２−８７６０６号公報
【発明の概要】
【発明が解決しようとする課題】
【０００６】
ところで、上記のような構造のアンカーは、高い引き抜き強度が得られるものの、構造が複雑で、しかもアンカー材の打設後にネジを締め上げる必要がある。
一方、この種のアンカーは、斜面における落石防護ネットのネット固定用アンカーとして多数が用いられる。そのため、アンカーの単価を下げること、並びにその設置に要する時間を短縮することがきわめて重要となり、それは施工期間の短縮と大幅なコストダウンに繋がる。
【０００７】
本発明は、このような技術的課題を考慮してなされたもので、設置作業が簡単で、しかも高い引き抜き強度が得られる高耐力アンカーの提供を課題とする。
【課題を解決するための手段】
【０００８】
上記した技術的課題を解決するため、本発明は、
地盤に対して略垂直に打ち込まれる第１アンカーと、傾斜した角度で打ち込まれる第２アンカーと、前記第１アンカーと第２のアンカーとを互いに連結し、かつ、前記第２アンカーを打ち込む際に、第２アンカーが所定の傾斜角度で打ち込まれるように案内するガイドと、を有する高耐力アンカーであって、前記ガイドは、前記第２アンカーの頭部近傍の打込み方向における複数箇所で又はその打込み方向における所定の長さにわたって、前記第２アンカーを案内することを特徴とする。
【０００９】
このように構成された本発明の高耐力アンカーによれば、第２アンカーを打ち込む際、この第２アンカーは、ガイドによって所定の傾斜角度で打ち込まれ、かつ支持される。すなわち、ガイドを用いて第２アンカーを打ち込めば、第２アンカーは、その頭部において、打込み方向の複数箇所で又は所定の長さにわたって支持されているため、その打ち込み角度は自ずと所定の傾斜角度となる。また、第１アンカーの軸方向に荷重が掛かった場合でも、第２アンカーは姿勢（角度）を変えることなく、安定して高い引き抜き強度を発揮する。
【００１０】
前記ガイドは、前記第１アンカーの頭部近傍に第１アンカーと一体に設けることができる。このようにすれば、最初に第１アンカーを打ち込むことで、前記ガイドが地盤に固定されるので、第２アンカーの打込みが容易となる。
【００１１】
また、前記ガイドは、上下に間隔を空けて配置される一対のプレートで構成されると共に、各プレートには、前記第２アンカーを支持するためのガイド孔が形成され、さらに各ガイド孔は、前記第２アンカーの打ち込み角度に準じて、その中心位置を互いにずらして配置することができる。
【００１２】
この構成では、第２アンカーを支持するためのガイドが上下一対のプレートで構成されているため、ガイド製造時において、ガイド孔およびプレートをプレスによる一体成形で安価に製造できる。
なお、前記ガイドは、例えば、一枚の連続したプレートをく字状等に折り曲げて形成してもよく、又は、所定の厚みのある部材に傾斜した貫通孔を形成してなる構成としてもよい。
【００１３】
また、前記第１アンカー及び前記第２アンカーは、それぞれプレート状の部材で形成することができる。
【００１４】
この構成では、第１アンカー及び第２アンカーを加工が容易なプレート状の部材としたので、本高耐力アンカーを安価に製造できる。
【００１５】
また、前記上下一対のプレートは、上側のプレートが第１アンカーに設けられ、下側のプレートが第１アンカーに対して分離可能に設けることができる。
【００１６】
この構成では、下側プレートが第１アンカーから分離しているため、アンカーの用途に応じて下側プレートのみを仕様変更できる。
【００１７】
また、前記上下一対のプレートのうち、その下側のプレートは面材固定用の押え板を兼ねている構成でもよい。
【００１８】
本構成では、本高耐力アンカーにガイドとして設けられる上下一対のプレートのうち、その下側のプレートを利用して、面材を被施工面に押さえつけることができる。なお、面材として、好ましくは落石防護ネットのネット等を例示できる。
【発明の効果】
【００１９】
以上、本発明によれば、容易に設置でき、しかも高い引き抜き強度が得られる高耐力アンカーを提供することができる。このアンカーの打込み作業では、慣れや特別な技量を要せず、誰でも、打ち込み角度の異なるアンカーを簡単・確実に設置することができる。
【図面の簡単な説明】
【００２０】
【図１】本発明に係る高耐力アンカーの設置状態を示す正面図。
【図２】本発明に係る高耐力アンカーの設置状態を示す側面図
【図３】本発明に係る縦アンカーの正面図。
【図４】本発明に係る縦アンカーの平面図。
【図５】本発明に係る斜行アンカーの正面図。
【図６】本発明に係る斜行アンカーの平面図。
【図７】本発明に係る下側プレートの平面図。
【図８】本発明に係る第１アンカーの変更例を示す正面図。
【図９】従来のピン式アンカーの設置状態を示す図。
【図１０】従来のねじ込み式アンカーの設置状態を示す図。
【図１１】従来の斜行式高耐力アンカーの設置状態を示す図。
【発明を実施するための形態】
【００２１】
以下、本発明の高耐力アンカー１について、斜面等である地盤Ｓに設置される落石防護ネット用のアンカーに適用した実施の形態を説明する。
【００２２】
本実施の形態に示す高耐力アンカー１は、地盤Ｓに対して垂直に打ち込まれる縦アンカー（第１アンカー）１０と、地盤Sに対して斜めに打ち込まれる斜行アンカー（第２アンカー）２０と、縦アンカー１を支点として斜行アンカー２０を斜めに支持するガイド３０とを有する。
【００２３】
縦アンカー１０は、先端が鋭利に切り落とされた短冊状の金属製プレートからなり、その両縁部を中心線に沿って曲げることでアンカーとしての十分な剛性が確保されている。また、縦アンカー１０の頭部には、Ｌ字形に折り曲げられたプレート３１が溶着されている。このプレート３１は、ガイドの一構成部品であり、ガイド３０と共に後に詳述する。
【００２４】
また、斜行アンカー２０も同様にして、短冊状の金属製プレートをその中心線に沿って内側に曲げるようにして製作されている。また、斜行アンカー２０の頭部には、斜行アンカー２０の打ち込み量を制限するストッパー２１が形成されている。
【００２５】
ガイド３０は、間隔を空けて配置される上下一対のプレート３１，３２で構成されている。これら上下一対のプレートのうち、上側のプレート３１は上述のＬ字形プレートとして縦アンカー１０の頭部に溶着されている。一方、下側のプレート３２は、縦アンカー１０に対して分離可能に設けられると共に、ガイドのみならず、落石防護ネットを押圧して、斜面に保持するための押え板として用いられている。
【００２６】
各プレート３１，３２には、斜行アンカー２０をプレート越しに差し入れるためのガイド孔３１ａ，３２ａが形成されている。また、下側プレート３２には、ガイド孔３２ａに加え、縦アンカー挿通用の挿通孔３３も形成されている。
【００２７】
各プレート３１，３２に設けられるガイド孔３１ａ，３２ａは、斜行アンカー２０の打ち込み角度に準じて、その中心位置を互いにずらして配置している。すなわち、ガイド３０の使用時において、各ガイド孔３１ａ，３２ａの中心を通る線と縦アンカー１０の軸線とのなす角度が、斜行アンカー２０の打ち込み角度と等しくなっている。このためガイド孔３１ａ，ガイド孔３２ａの順に貫くように斜行アンカー２０を差し入れると、斜行アンカー２０は、縦アンカー１０に対して自ずと傾斜した所定角度に保持される。
【００２８】
一方、下側プレート３２のみに設けられている縦アンカー用の挿通孔３３は、ガイド孔３２ａに隣接して下側プレート３２のほぼ中心に設けられている。また、挿通孔３３に縦アンカー１０を差し入れて打ち込むと、縦アンカー１０の頭部に固定されたＬ字形プレート３１が挿通孔３３の縁に突き当たり、下側プレート３２は縦アンカー１０によって地面側に押圧される。
【００２９】
ここでガイド３０を兼ねるＬ字形プレート３１について詳述する。
Ｌ字形プレート３１は、縦アンカー１０に背を向けた状態で上下逆さまに溶接されている。また、Ｌ字形プレート３１の高さ（長さ）は予め決められており、縦アンカー１０と下側プレート３２とを組み合わせた状態で、下側プレート３２とＬ字形プレート３１との間には一定の距離（間隔）ｄが生じ、これが保たれる（図１参照）。また、このｄの値を基準にとして、各プレート３１，３２に設けられるガイド孔３１ａ，３２ａの位置が決定されている。すなわち、Ｌ字形プレート３１に設けられるガイド孔３１ａは、縦アンカー１０に対して近い位置に設けられ、下側プレート３２に設けられるガイド孔３２ａは、縦アンカー１０に対してガイド孔３１ａよりも遠い位置に設けられている
【００３０】
続いて、上記した高耐力アンカーの施工手順を説明する。
はじめに、図１に示すようにネットの押え板を兼ねる下側プレート３２をネットＮ上に載置する。なお、下側プレート３２は、ネットＮの網目サイズや形に合わせて幅や長さの異なる複数種類が用意されており、施工時には、網目サイズや形に合わせて最適な下側プレートを用いる。
【００３１】
続いて、縦アンカー１０を挿通孔３３から土中に差し込む。そして、縦アンカー１０を地盤に向かって垂直に打ち込む。このとき、縦アンカー１０の頭部に設けられたＬ字形プレート３１の下端３１ｂが下側プレート３２に突き当たる迄、縦アンカー１０を打ち込む。
【００３２】
続いて、Ｌ字形プレート３１の上方からガイド孔３１ａ、ガイド孔３２ａの順に斜行アンカー２０を差し込む。そして、斜行アンカー２０を地盤に打ち付ける。このとき斜行アンカー２０は、縦アンカー１０を支点として固定された下側プレート３２、並びに縦アンカー１０に固定されたＬ字形プレート３１からなるガイド３０に上下２点で接して斜めに保持されている。したがって、斜行アンカー２０はぶれること無く、適切な角度で地面に打ち込まれる。
【００３３】
このように本発明の高耐力アンカーによれば、縦アンカー１０を打ち込んだ後、この縦アンカー１０が挿通したガイド３０を用いて、斜行アンカー２０を打ち込むことで、その打ち込み角度は自ずと適切な角度になる。よって、慣れや技量を要せずとも、打ち込み角度の異なるアンカーを簡単・確実に設置できる。
【００３４】
また、上記した各種アンカー１０，２０並びに各プレート３１，３２は、金属製のプレートで形成されているため、その各部の造形は、プレスによる打ち抜き加工や曲げ加工によって一体成形できる。このためドリル等を用いた追加工を施すことなく各部材を安価に製作できる。
【００３５】
また、斜行アンカー２０は、その頭部においてガイド孔３１ａ、並びにガイド孔３２ａの上下計２カ所でガイド３０に接している。このため地盤垂直方向に荷重が掛かった場合でも、斜行アンカー２０は土中で姿勢（角度）を変えず、安定して高い引き抜き強度を発揮する。すなわち、本高耐力アンカーでは、各アンカー１０，２０の打ち込み角度を異ならせる他、このように斜行アンカー２０の頭部をその長手方向複数箇所で支持することにより、さらなる引き抜き強度の向上を図っている。
【００３６】
なお、上記した実施の形態は、あくまでも本発明の一実施形態に過ぎず、その詳細は各種仕様に応じて変更可能である。
例えば、上記した実施の形態では、下側プレート３２と、Ｌ字形プレート（上側プレート）３１からなる二つの部材でガイド３０を構成したが、下側プレート３２とＬ字形プレート３１とを連結して共に縦アンカー１０に固定してもよい。すなわち、下側プレート３２とＬ字形プレート３１とをコ字型のプレート４０で一体的に形成し、このコ字形のプレート４０をガイド３０として縦アンカー１０に固定する。
【００３７】
また、本実施の形態では、縦アンカー１０、及び斜行アンカー２０の計２本のアンカーを例示したが、その本数も変更可能である。また、縦アンカー１０を垂直に打ち込み、斜行アンカー２０を斜めに打ち込んだが、両アンカーを斜めに打ち込んでもよい。すなわち、各アンカーの打ち込み角度が異なり、その何れかのアンカーを支点として他のアンカーを支持できればよい。
なお、本発明と実施形態での兼ね合いでは、縦アンカー１０の打ち込み角度が第１の角度に相当し、斜行アンカー２０の打ち込み角度が第２の角度に相当する。
【００３８】
また、本実施の形態では、下側のプレート３２と上側のプレート３１の計２枚でガイド３０を構成したが、ガイド３０を構成しているプレートの数は、２枚以上であってもよい。
【００３９】
また、本実施の形態では、ネット固定用のアンカーとして本高耐力アンカーを説明したが、本アンカーの用途はネット固定用に限られず、砂の飛散防止シートなど、各種面材の固定に用いることができる。また、勿論、各種ロープや構造物を留め置くための留置用アンカーとしても使用できる。
【符号の説明】
【００４０】
１  高耐力アンカー
１０  縦アンカー
２０  斜行アンカー
２１  ストッパー
３０  ガイド
３１  Ｌ字形のプレート（上側プレート）
３１ａ  ガイド孔
３２  下側プレート
３２ａ  ガイド孔
３３  縦アンカー挿通用の挿通孔
４０  コ字型のプレート
１００  ピン式アンカー
２００  ねじ込み式アンカー
２０１  螺旋状の突条
３００  アンカー
３０１  アンカーヘッド
３０２  アンカー材
３０３  ネジ
３０４  支圧板
ｄ  ガイドの間隔
Ｓ  地盤
Ｎ  ネット
【図１】
2014190149.tif 000003
【図２】
2014190149.tif 000004
【図３】
2014190149.tif 000005
【図４】
2014190149.tif 000006
【図５】
2014190149.tif 000007
【図６】
2014190149.tif 000008
【図７】
2014190149.tif 000009
【図８】
2014190149.tif 000010
【図９】
2014190149.tif 000011
【図１０】
2014190149.tif 000012
【図１１】
2014190149.tif 000013